(57)【要約】【課題】マルチビーム衛星システムにおいてサービス機能停止を縮小する方法と装置【解決手段】衛星は多数のフィーダリンクによって多数のゲートウェイに連結される。劣化リンクがフィーダリンクの中に検出されると、通信は劣化リンクからフィーダリンク間で共有されたダイバーシティリンクに切換えられる。１実施形態では、前記ダイバーシティリンクは衛星のサービスエリア外に設置されたダイバーシティゲートウェイに接続される。もう１つの実施形態では、ダイバーシティリンクはそのサービスエリア内のフィーダリンク間に分布されたチャネルから成る。
2005531225.tif 000002
【特許請求の範囲】
【請求項１】
衛星と対応する複数のゲートウェイとの間にある複数のフィーダリンクの中で劣化リンクを検出し、
前記劣化リンクから、前記衛星と前記衛星のサービスエリア外に設置されるダイバーシティゲートウェイとの間にあるダイバーシティリンクに切換える、
ことからなる方法。
【請求項２】
前記劣化リンクを検出することは、
前記衛星から受信されたビーコン信号内の信号対雑音比における劣化を特定のゲートウェイで測定し、
前記劣化が閾値を超える時に前記特定のゲートウェイに対応するフィーダリンクが前記劣化リンクであることを認識することからなる請求項１記載の方法。
【請求項３】
前記劣化リンクからの切換えが、
前記劣化リンクに対応するゲートウェイから前記衛星に切換えコマンドを送出する請求項１記載の方法。
【請求項４】
前記劣化リンクからの切換えが、
前記衛星で前記劣化リンクに対応するゲートウェイから切換えコマンドを受信する請求項１記載の方法。
【請求項５】
前記劣化リンクからの切換えが、
前記劣化リンクに対応するフィーダホーンよりはむしろ前記ダイバーシティリンクに対応するフィーダホーンを使用するために前記衛星を介してデータをリルートする請求項１記載の方法。
【請求項６】
複数のフィーダリンクの中で複数の付加劣化リンクを検出し、
前記複数の付加劣化リンクから、前記衛星と前記サービスエリア外に設置される複数の付加ダイバーシティゲートウェイとの間にある複数の付加ダイバーシティリンクに切換えることをさらに具備する請求項１記載の方法。
【請求項７】
前記劣化リンクが再生リンクになったことを検出し、
前記ダイバーシティリンクから前記再生リンクにスイッチバックすることをさらに具備する請求項１記載の方法。
【請求項８】
前記複数のフィーダリンクは複数の順方向リンクおよび複数の逆方向リンクの少なくとも１つからなる請求項１記載の方法。
【請求項９】
前記サービスエリアは大陸米国からなり、前記ダイバーシティゲートウェイはカリフォルニアのバジャ；メキシコのソノラ；メキシコのチワワ；カナダのブリティッシュ・コロンビア；およびカナダのアルバータの１つに設置される請求項１記載の方法。
【請求項１０】
前記劣化リンクを検出することが、瞬間の受信信号強度を測定することからなる請求項１記載の方法。
【請求項１１】
前記ダイバーシティゲートウェイは高い降雨強度の確率が低いエリア内に設置される請求項１記載の方法。
【請求項１２】
前記ダイバーシティゲートウェイは前記衛星の全角度カバレッジ内に設置される請求項１記載の方法。
【請求項１３】
前記複数のフィーダリンクはインターネット・トラフィックを運び、前記対応する複数のゲートウェイおよび前記ダイバーシティゲートウェイは各々インターネット・アクセスポイントからなる請求項１記載の方法。
【請求項１４】
前記複数のゲートウェイの各々はＫ端末ビームをサポートする請求項１記載の方法。
【請求項１５】
前記劣化リンクを検出することは、
受信雑音に関連するフィーダリンク・ビーコン信号号の信号強度を決定し、
もしも前記信号強度が閾値未満であれば前記フィーダリンクは劣化されることを示すことからなる請求項１記載の方法。
【請求項１６】
衛星と対応する複数のゲートウェイとの間の複数のフィーダリンクを供給するのに適合され、各々が少なくとも１つのデータバスに結合される複数のフィーダホーンと、
前記衛星と前記衛星のサービスエリア外に設置されるダイバーシティゲートウェイとの間のダイバーシティリンクを供給するのに適合され、切換えマトリクスに結合されるダイバーシティホーンと、
前記複数のフィーダホーンに対応し、複数の端末ビームを供給するのに適合すると共に、少なくとも１つのデータバスに結合される複数の端末ホーンとを具備し、
前記データバスは前記切換えマトリクスに結合されると共に、前記切換えマトリクスは前記複数の端末ホーンの任意の１つを前記複数のフィーダホーンの対応する１つよりはむしろ前記ダイバーシティホーンに選択的に結合するのに適合している装置。
【請求項１７】
前記複数の端末ホーンの各々はＫ端末ビームをサポートする請求項１６記載の装置。
【請求項１８】
各々が前記衛星と前記サービスエリア外に設置される複数の付加ダイバーシティゲートウェイとの間の複数の付加ダイバーシティリンクを供給するのに適合する複数の付加ダイバーシティホーンをさらに具備し、前記切換えマトリクスは前記複数の端末ホーンの任意の１つを前記複数のフィーダホーンの対応する１つよりはむしろ前記複数の付加ダイバーシティホーンの任意の１つに選択的に結合するのに適合している請求項１６記載の装置。
【請求項１９】
前記切換えマトリクスの動作を決定する切換えコマンドを受信するための手段をさらに具備する請求項１８記載の装置。
【請求項２０】
衛星と対応する複数のゲートウェイとの間にあって各々が複数のチャネルを備え、複数のフィーダリンクの少なくとも１つの中の前記複数のチャネルは少なくとも１つのダイバーシティチャネルからなる前記複数のフィーダリンクの中で劣化リンクを検出し、
複数の劣化チャネルを前記劣化リンクから１つまたはそれ以上の前記複数のフィーダリンクの中の対応する複数のダイバーシティチャネルに切換える方法。
【請求項２１】
前記劣化リンクはアクティブチャネルおよびダイバーシティチャネルの両者をからなり、前記複数の劣化チャネルを切換えることは前記アクティブチャネルのみを切換えることからなる請求項２０記載の方法。
【請求項２２】
前記複数の劣化チャネルを切換えることは、前記複数の劣化チャネルの個別のものを前記複数のダイバーシティチャネルの選択されたものにリルートする請求項２０記載の方法。
【請求項２３】
前記複数のダイバーシティチャネルが前記複数のフィーダリンクのサブセットの中に分布される請求項２０記載の方法。
【請求項２４】
前記複数のフィーダリンクの中で複数の付加劣化リンクを検出し、
複数の付加劣化チャネルを前記複数の付加劣化リンクから前記複数のフィーダリンクの中の複数の付加ダイバーシティチャネルに切り換えることをさらに具備する請求項２０記載の方法。
【請求項２５】
前記劣化リンクを検出することは特定のゲートウェイで、前記衛星からのビーコン信号内の信号対雑音比における劣化を決定し、
前記劣化が閾値を超える時に前記特定のゲートウェイに対応するフィーダリンクが前記劣化リンクであることを認識することからなる請求項２０記載の方法。
【請求項２６】
前記劣化リンクからの切換えが、前記劣化リンクに対応するゲートウェイから前記衛星に切換えコマンドを送出することからなる請求項２０記載の方法。
【請求項２７】
前記劣化リンクからの切換えがさらに、前記衛星で前記劣化リンクに対応するゲートウェイからの切換えコマンドを受信することからなる請求項２６記載の方法。
【請求項２８】
前記劣化リンクが再生リンクになったことを検出し、
前記複数のダイバーシティチャネルからスイッチバックすることからさらになる請求項２０記載の方法。
【請求項２９】
前記複数のフィーダリンクはインターネット・トラフィックを運び、前記対応する複数のゲートウェイは各々インターネット・アクセスポイントを具備する請求項２０記載の方法。
【請求項３０】
衛星と対応する複数のゲートウェイとの間の複数のフィーダリンクを供給するのに適合する複数のフィーダホーンであって、前記複数のフィーダリンクの各々は複数のフィーダチャネルを具備すると共に、前記複数のフィーダリンクの少なくとも１つの中の前記複数のフィーダチャネルは少なくとも１つのダイバーシティチャネルからなり、
前記複数のフィーダホーンに対応する複数の端末ホーンであって、前記複数の端末ホーンは複数の端末ビームを供給するのに適合し、前記複数の端末ビームの各々は複数の端末チャネルからなり、
前記複数のフィーダホーンと前記複数の端末ホーンに結合された切換えマトリクスであって、前記切換えマトリクスは、前記複数の端末チャネルの任意の１つを前記複数の端末ホーンから対応するフィーダチャネルよりはむしろ前記少なくとも１つのダイバーシティチャネルに選択的に結合するのに適合している装置。
【請求項３１】
前記複数の端末ホーンの各々はＫ端末ビームをサポートする請求項３０記載の装置。
【発明の詳細な説明】
【関連出願】
【０００１】
この出願は、２００２年６月２５日に提出された、先の仮出願番号第６０／３９１，９８４号の利益を主張する。
【技術分野】
【０００２】
本発明は衛星通信分野に属する。より詳しくは、この発明はマルチビーム衛星システムにおいてサービス機能停止を減少することに関する。
【背景技術】
【０００３】
衛星または衛星群は、セルラ塔や端末ユーザへの地上有線接続のような、高価な基幹施設無しに、事実上どこへでも通信を提供することができる。これらの利点は、高速データ通信を含む、種々様々な適用に関して衛星を理想的にする。例えば、広帯域インターネット・サービスをディジタル加入者線（ＤＳＬ）、ディジタルケーブル、または光ファイバが使用可能であるエリアに限定することよりはむしろ、衛星ベースのシステムは、都市の、郊外の、地方の、または移動体のユーザを含む、事実上あらゆる潜在ユーザに同等のサービスを提供することができる。
【０００４】
例えば、静止軌道内の衛星は全大陸米国のサイズをサービスエリアに持つことができる。広帯域インターネット・アクセスのためのサービスエリア内の結合されたデータトラフィックは大量の帯域幅を消費することができるが、しかし衛星通信における帯域幅は使用可能な無線周波数スペクトルによって限定される。十分な帯域幅を持つために、衛星は、セルラ電話システム内で使用されるセルパターンと同様なビームパターンにおいてサービスエリアをカバーするように、シングルビームよりはむしろ、マルチ“ビーム”を投射する。各ビームは、衛星を介した全体の帯域幅を実質的に増加させるために、使用可能な周波数、またはそれのある部分を再使用する。
【０００５】
衛星は１ビーム内の端末とそのビームをサポートする“ゲートウェイ”との間で、信号を前後に“バウンドさせる”。ゲートウェイは端末間の、および端末と外界との間の通信を指示することができる。例えば、ゲートウェイはそのビーム内の端末をインターネットに接続するためにインターネット・アクセスポイントを含んでもよい。
【０００６】
ビームは大きいエリアをカバーして、多くの端末にサービスを提供することができる。ゲートウェイと衛星との間のフィーダリンクは本質的に、そのゲートウェイとその衛星との間の視界の線(line  of  sight)に狭く集中された信号ストリームである。フィーダリンクは、与えられたビーム内の全端末に関する衛星との間の全データトラフィックをサポートする。もしもそのフィーダリンクに関する信号品質がある限界以上に劣化すれば、全体のビームはサービス機能停止を経験する。サーマルノイズはフィーダリンクを劣化させ得る。
【０００７】
フィーダリンクの隘路への１つの解答は“空間ダイバーシティ”である。サービス機能停止を引き起こすのに十分な強さの降雨は一般に大いに集中される。２つの異なったロケーションでのサービス機能停止を引き起こすのに十分な降雨強度の確率は、同時に非常に低い。ダイバーシティは、通常数マイル離れた、いくつかの異なるロケーションでの冗長(redundant)ゲートウェイを使用して達成される。伝統的に、ダイバーシティは１フォー１基準(on  a  1-for-1  basis)で行われる。即ち、各フィーダリンクは2局のゲートウェイによってサポートされ、１局はアクティブゲートウェイが失敗する場合に“熱”予備で保持されている。
【０００８】
１フォー１ダイバーシティは、典型的な公衆用電話交換網（ＰＳＴＮ）のような、回線ベースのネットワークに接続された衛星システムを扱う時に有用である。衛星システムでは、電話呼の意図された受取人は特定のビームに関連する。呼はＰＳＴＮネットワークを介してこの特定のビームを取り扱っているゲートウェイに送られる。ゲートウェイが衛星を介してその呼を受取人端末に完成した時に、発呼者と受取人との間の“回線”が確立されたと言われる。もしもその時ゲートウェイがサービス機能停止を経験すれば、その回線は切断されて呼は失われる。しかしながら、1フォー1ダイバーシティにあっては、“ゲートウェイ”は実際には数マイルだけ物理的に離れている2局の冗長ゲートウェイである。1局はアクティブであり、そして他局は“熱”予備モードにある。２局のゲートウェイは、もしも1局のゲートウェイが失敗すれば、他のゲートウェイが回線を切断すること無しに直ちにそれに代わることができるような電話網内の1つのネットワーク・ロケーションのように見える。
【０００９】
１フォー１ダイバーシティの１つの欠点はコストである。大型アンテナアレー、高速ルータ、大量のデータを無線周波数信号におよびから変換するための装置、および同様のものを含むゲートウェイは非常に高価になり得る。大陸米国を取り扱っている衛星システムは数十、または数百までものゲートウェイロケーションを使用することができる。各ゲートウェイロケーションのための１フォー１ダイバーシティはシステムのコストを劇的に増加させることがあり得る。広帯域インターネット・アクセスのような、大いに競争的なデータサービス・マーケットにおいて、コスト、したがって加入者レートを低く維持することは重要である。
【発明の開示】
【００１０】
[発明の概要]
簡単に、複数の衛星フィーダリンクの間のダイバーシティ資源を共有することによって、マルチビーム衛星システムにおけるような通信システムにおいてサービス機能停止を減少するための方法および装置が開示される。本発明はインターネット・プロトコル(ＩＰ)のような、“再生可能な”ネットワーク・ルーチング・プロトコルを利用して、もしも通信ネットワークにおいて１つのデータパスが失敗すれば、使用に利用可能な１つまたはそれ以上のパスを見つけ出すために他のパスが自動的に探求される。この発明の種々の実施形態では、衛星システム内のネットワーク接続は、フィーダリンクが失敗しそして再生するようにスイッチオンおよびオフされる。
【００１１】
これは衛星と対応する複数のゲートウェイとの間で接続される、複数のフィーダリンクの中で劣化リンクを検出することによって、およびこの劣化リンクから衛星とこの衛星のサービスエリア外に設置されるダイバーシティゲートウェイとの間に属するダイバーシティリンクに切り換えることによって達成されることができる。複数のフィーダリンクは少なくとも１つの複数の順方向リンクおよび複数の逆方向リンクを備えてもよい。劣化リンクを検出する処理は、特定のゲートウェイで衛星から受信されたビーコン信号内の信号対雑音比における劣化を測定すること、または瞬間の受信信号強度を測定すること、および劣化が１閾値を超える時に特定のゲートウェイに対応するフィーダリンクは劣化リンクであると認めることを具備することができる。さらに、劣化リンクからの切換えは劣化リンクに対応するゲートウェイから衛星に切換えコマンドを送出することを具備することができる。劣化リンクからの切換えはまた劣化リンクに対応するフィーダホーンよりはむしろダイバーシティリンクに対応するフィーダホーンを使用するために衛星を介してデータをリルートすることを具備することができる。
【００１２】
さらなる実施形態では、複数のフィーダリンクの中で複数の付加劣化リンクが検出され、そして通信は複数の付加劣化リンクから複数の付加ダイバーシティリンクに切り換えられ、前記複数の付加ダイバーシティリンクは衛星とサービスエリア外に設置される複数の付加ダイバーシティゲートウェイとの間にある。この方法は劣化リンクが再生リンクになったことを検出すること、およびダイバーシティリンクから再生リンクにスイッチバックすることをさらに具備することができる。
【００１３】
もう１つの実施形態では、この発明の特徴を実現するための装置は、衛星と対応する複数のゲートウェイとの間の複数のフィーダリンクを供給するのに適合する複数のフィーダホーン、各フィーダホーンは少なくとも１つのデータパスに連結され、衛星とこの衛星のサービスエリア外に設置されるダイバーシティゲートウェイとの間のダイバーシティリンクを供給するのに適合するダイバーシティホーン、このダイバーシティホーンは切換えマトリクス(switch  matrix)に連結され、および複数のフィーダホーンに対応する複数の端末ホーン、それは複数の端末ビームを供給するのに適合し、各端末ホーンは少なくとも１つのデータパスに連結される、を具備する。データパスは切換えマトリクスに連結され、そして切換えマトリクスは複数の端末ホーンの任意の１つを複数のフィーダホーンの対応する１つよりはむしろダイバーシティホーンに選択的に連結するのに適合する。
【００１４】
他の実施形態では、装置は複数の付加ダイバーシティホーンをさらに具備し、各々は複数の端末ホーンの任意の１つを複数のフィーダホーンの対応する１つよりはむしろ複数の付加ダイバーシティホーンの任意の１つに選択的に連結するのに適合する切換えマトリクスと共に、衛星とそのサービスエリア外に設置される複数の付加ダイバーシティゲートウェイとの間の複数の付加ダイバーシティリンクを供給するのに適合する。この装置は切換えマトリクスの動作を決定する切換えコマンドを受信するための手段を使用することができる。
【００１５】
さらなる局面では、複数のフィーダリンクの各々は、少なくとも１つのダイバーシティチャネルを備える少なくとも１つの複数のフィーダリンク内に複数のアクティブチャネルを有する複数のチャネルを具備し、そして劣化リンクに関する切換えは、複数の劣化チャネルをその劣化リンクから１つまたはそれ以上の複数のフィーダリンク内の対応する複数のダイバーシティチャネルに切り換えることを具備する。劣化リンクは、アクティブチャネルのみを切り換えることから成る複数の劣化チャネルの切換えで、アクティブチャネルとダイバーシティチャネルとの両方を使用できる。この切換えは複数の劣化チャネルの個別のものの複数のダイバーシティチャネルの選択されたものへのリルーチングを使用する。さらに、複数の付加劣化リンクは複数のフィーダリンクの中から検出されることができ、そして複数の付加劣化チャネルの複数の付加劣化リンクから複数のフィーダリンクの中の複数の付加ダイバーシティチャネルへの切換えが起こり得る。
【００１６】
１実施形態では、この方法を実現するための装置は、衛星と対応する複数のゲートウェイとの間の複数のフィーダリンクを供給するのに適合する複数のフィーダホーン、各々は複数のフィーダチャネルから成り、そして少なくとも１つの複数のフィーダリンク内の複数のフィーダチャネルは少なくとも１つのダイバーシティチャネルから成ると共に、複数の端末ホーンは複数のフィーダホーンに対応し、それは複数の端末ビームを供給するのに適合し、各々は複数の端末チャネルを備え、そして複数のフィーダホーンにおよび複数の端末ホーンに連結された切換えマトリクスを具備することができる。切換えマトリクスは複数の端末チャネルの任意の１つを複数の端末ホーンから、対応するフィーダチャネルよりはむしろ少なくとも１つのダイバーシティチャネルに、選択的に結合するのに適合する。
【発明を実施するための最良の形態】
【００１７】
本発明の実例は添付されている図面内に図示される。しかしながら、添付されている図面は本発明の範囲を限定しない。図面内の同じ参照符号は同じエレメントを示す。
【００１８】
以下の詳細説明では、本発明の完全な理解を提供するために多数の特別の詳細が述べられる。しかしながら、この分野の技術者は、本発明がこれらの特別の詳細無しに実行されてもよいこと、本発明が叙述された実施形態に限定されないこと、および本発明が種々の代替の実施形態で実施されてもよいことを理解するであろう。他の例では、周知の方法、手順、コンポーネント、および回路は詳細には記述されなかった。
【００１９】
例えば、フィード(feeding)または切換え信号の動作と同様に、下記に提供されるアンテナホーンおよびフィードについての参照は、この発明の実施形態を実施することの一部として検討された通信リンクおよびチャネルを確立するための技術の包括的な実例である。この分野の技術者には容易に明白になるであろうように、これらはこの発明の方法および装置を実現するために利用可能なだけの技術ではない。アンテナエレメント、アンテナホーン、トランスデューサの１つ、またはフェーズドアレーを含むアンテナアレー、および同様のものは、望ましいビームを生成するためのビーム形成アンテナ構造の一部としての種々の方法で信号をフィードされることができる。フィード信号はアンテナビームを限定して指示する助けとなるアンテナエレメントの間の加重タップを含むことができる。
【００２０】
したがって、下記に検討される切換えマトリクスはまた、まさに１組のアンテナホーンには適用できないが、望ましいリンクおよび信号パスを搬送または転送するためのビームを発生するアンテナ機構を提供またはフィードするために使用されている信号源と同様に、一連のアンテナ・トランスデューサおよび送信エレメントには適用できる。即ち、このマトリクスは、増幅器または伝送されるべき信号を転送する他の既知のエレメントのような種々の入力信号源の間を切り換えることができ、そして、まるで個別のアンテナホーンを選択するかのように、それらがどこから送信されたかを“効果的に”選択するように、それらが分布されるべきである以前のビームによって生成されたビームパターンがどこを横切るかを選択的に制御する。衛星ハードウェアおよび信号転送機構におけるそのような代案はこの開示の教示の中にあり、そしてこの分野の技術者によってよく理解される。
【００２１】
記述の一部は、この分野の他の技術者に彼等の作業の内容を伝達するために、この分野の技術者によって一般に使用される術語を使用して表示されるであろう。また、記述の一部は、プログラミング命令の実行によって行われる動作の表現で表されるであろう。この分野の技術者によってよく理解されたように、これらの動作はしばしば、蓄積され、転送され、結合され、そして他方では例えば、電気的コンポーネントを通して処理されることができる電気、磁気、または光信号の形式を取る。
【００２２】
種々の動作は本発明を理解するための助けとなる方法において順番に実行される複数のディスクリートなステップとして記述されるであろう。しかしながら、記述の順番は、これらの動作が必然的に、表示される順番に実行されることを意味すると解釈してはならないし、順番に左右されてもならない。最後に、フレーズ“１つの実施形態では”の反復使用は、それはあるかもしれないが、必ずしも同じ実施形態を引用はしない。
【００２３】
本発明は複数の衛星フィーダリンクの間でダイバーシティ資源を共有することによってマルチビーム衛星システムにおけるサービス機能停止を減少する。この発明は、インターネット・プロトコル（ＩＰ）のような、“再生可能な”ネットワーク・ルーチング・プロトコルを利用する。再生可能なネットワークでは、もしも１つのデータパスが失敗すれば、他のパスが自動的に探求され、そして任意の利用可能なパスが使用される。どの場合も、本発明の種々の実施形態は、衛星システム内のネットワーク接続をフィーダリンクが失敗して再生するようにスイッチオンおよびオフする。現在アクティブであるアクセスポイントを見つけ出すためにネットワークは衛星システムに接続されたままにされる。
【００２４】
上で検討したように、通常ＰＳＴＮは通信のロスから敢えて再生できない。もしも接続が失敗すれば、ネットワークは新しいパスを見つけ出して呼をリルートする能力を持たない。その代わりとして回線は切断されて、サービスは失われる。１フォー１ダイバーシティは１解答を提供し、そこでは第２のゲートウェイが本質的に、１つの代わりのパスに対立するものとして、冗長接続を提供する。しかしながら、本発明によって可能になるように、ダイバーシティ資源を共有することは、サービスの信頼性において同等の改善を有する従前の１フォー１ゲートウェイ・ダイバーシティを越えるものすごいコスト節約を提供することができる。
【００２５】
図１は本発明の１つの実施形態を組み込んでいる衛星ベースの通信システムを図示する。サービスエリア１１０は円形プロジェクション(circular  projections)として示されるＮ＝１８のビーム１３０によってカバーされる。図１はサービスエリア１１０内のＫ＝３の周波数再使用パターンを図示する。即ち、使用可能な周波数スペクトルは３つの部分に分割され、そして各ビームは１，２または３をしるされた部分の１つを使用する。ビームは２つの隣接ビームが同じ周波数部分に割り当てられないように配列される。これは信号品質、よってデータの信頼性を改善して、ビーム間の干渉を減少させる。システムの全体の帯域幅はファクタＮ／Ｋ、この場合には６に等しい、まで増加される。本発明の他の実施形態はＫ＝３以外の周波数再使用パターンで実施されてもよい。同様に、本発明は任意の特定数のビームまたはビームパターンに束縛されない。より大きい値のＫは信号品質を増加させるが、各セル内で使用可能な帯域幅を減少させる。より大きい値のＮは帯域幅を増加させるが、一部分はもっと複雑なアンテナアレーによるコストをも増加させる。
【００２６】
サービスエリア１１０は非常に大きいエリアをカバーすることができる。例えば、もしも衛星１２０が静止衛星であれば、サービスエリア１１０は地表面積の１／３までカバーすることができる。しかしながら、サービスエリア１１０についてのより典型的なサイズは、ＣＯＮＵＳと呼ばれる大陸米国のサイズであろう。衛星１２０は低い地球軌道から静止軌道まで任意数の軌道ロケーション内の単一の衛星または１群の衛星を表してもよい。
【００２７】
各ビーム１３０は数千平方マイルをカバーして、数万の端末（図示せず）にサービスを提供することができる。端末リンクは各ビーム１３０内の端末を衛星１２０に接続する。端末リンクは特に図１には示されないが、サービスエリア１１０内では、ビーム・プロジェクション、ビーム１３０によって集合的に表現される。一方、ゲートウェイ１５０はフィーダリンク１４０を通して衛星１２０に接続する。Ｋ＞１のゲートウェイを有するシステムにおいてさえ、通常全周波数帯域幅を使用する。フィーダおよび端末リンクは、端末へのトラフィックである順方向トラフィックと、端末からのトラフィックである逆方向トラフィックの両者を運ぶ。
【００２８】
端末リンクとフィーダリンクとは、使用可能な周波数の同じスペクトル内で動作する。どの場合も、Ｋ＝３の実例となる実施形態では、各フィーダリンク１４０は３つのビーム１３０を扱うのに十分な周波数帯域幅を有する。一般に、１サービスエリアのために必要なゲートウェイの最小数は、周波数の分割数、Ｋによって分割されたビーム数Ｎと等しい。１８ビームで、サービスエリア１１０は６局のゲートウェイ１５０が必要である。
【００２９】
もしも１フォー１ダイバーシティがサービスエリア１１０内で使用されたとすれば、合計１２局のゲートウェイが必要になるであろう。しかしながら、実例となる実施形態では、２局のダイバーシティゲートウェイ１７０のみが使用され、そしてそれらはゲートウェイ１５０の間で共有される。もしも豪雨または、雲１９０によって示される何か他の妨害がサービス機能停止を引き起こすと言ってもよい程度までフィーダリンクを劣化させれば、対応するダイバーシティゲートウェイ１７０を介して外部ネットワークにアクセスするために、劣化リンク１９５からのデータトラフィックはダイバーシティビーム１８０を扱っている使用可能なダイバーシティリンク１６０の１つに切り換えられる。２局のダイバーシティゲートウェイ１７０で、任意の２局のゲートウェイ１５０は、任意のビーム１３０へのサービス機能停止無しに、任意の与えられた時間に機能停止を経験することができる。
【００３０】
この働きの本当の理由は、ユーザがインターネット上のサイトに接続しており、そしてどのゲートウェイを介してその接続がなされているかを気にかけないことである。
【００３１】
フィーダリンクはかなり強く、そしてダイバーシティシステムの一部として設計された時は信号劣化の中間のマージン(medium  margin)を処理することが可能である。結果として、任意の１ゲートウェイについてのサービス機能停止の確率は非常に低く、大部分の環境では時間のむしろ１％未満である。どの場合も、１フォー１ダイバーシティが低い確率の事象を補償するために高価なゲートウェイの数を２倍にすることで、１フォー１ダイバーシティはダイバーシティ資源の使用を非常にプアにする。これと対比して、ダイバーシティ資源を共有することによって、本発明は多くのゲートウェイからのサービス機能停止の確率をプールし、そしてこのプールされた確率を比較的小さい組の冗長ゲートウェイで補償する。機能停止を同時に経験している複数のゲートウェイの確率は、小さい組の冗長ゲートウェイが１フォー１ダイバーシティと同等のサービス品質ではあるが、しかしより低コストで提供できるほど低い。実例となる実施形態では、２局のゲートウェイ１７０が使用されるが、しかし、実際、１局のダイバーシティゲートウェイは望ましいレベルのサービス品質を供給するのに十分以上のものであってもよい。他の実施形態はより多くのダイバーシティゲートウェイ、あるいは望ましいサービスレベルおよび予期される混信や妨害次第で、種々のダイバーシティゲートウェイ対正規のゲートウェイ比を使用してもよい。
【００３２】
実例となる実施形態では、ダイバーシティゲートウェイ１７０はサービスエリア１１０外に設置される。サービスエリア外の適切なロケーションは、少なくともダイバーシティのためのゲートウェイ間の最小の分離（例えば、１０から２０マイル）および少なくともフィーダリンクとダイバーシティリンクとの間の信号分離のためのゲートウェイ間の最小の分離を保証しなければならない。
【００３３】
同時に、そのロケーションはサービスエリア外で離れ過ぎてはならない。即ち、衛星１２０はアンテナ構成次第で、ある程度のアンギュラー(angular)カバレッジを有する。このアンギュラーカバレッジは通常、相対的に地表上の円形プロジェクションである。図１の実施形態におけるカバレッジエリアの直径はサービスエリア１１０を含むだけ十分大きい必要があるが、しかし任意の付加カバレッジは、より高い高度の衛星（非静止衛星の場合として）か、またはより高品質のアンテナアレーのどちらかから、より多いコストを引き起こす。したがって、衛星１２０がカバレッジを有意に変更することなくサービスエリア１１０をカバーする必要があることは、場所、またはサイト、アンギュラーカバレッジ内のダイバーシティゲートウェイ１７０にとって有利である。
【００３４】
アンギュラーカバレッジの内部でのロケーションを見つけ出すことは、例えば、米国は南北方向におけるよりも東西方向において幅がより広いので、大陸米国をカバーしているサービスエリアに関して問題であってはならない。サービスエリアをカバーするのに十分なアンギュラーカバレッジエリア幅は少なくとも北部メキシコおよび南部カナダを含むであろう。同様に、世界中の大多数のサービスエリアは非円形であり得るし、それによってダイバーシティゲートウェイのためのエッジの周りを、あるマージンのままにする。
【００３５】
距離とカバレッジアングルとに基づいてダイバーシティロケーションを選択することのほかに、サービス品質は高い降雨強度の確率が低いダイバーシティロケーションを選択することによって改善されることができる。降雨劣化強度は雨滴サイズと単位体積当たりの雨滴とのファクタである。メキシコのバハ、ソノラ、およびチワワ州のようなエリアは、降雨の低い確率のため、ふさわしいロケーションである。カナダのブリティッシュ・コロンビアおよびアルバータ州もまた、たとえ降雨は両方の場所で共通であるとしても、降雨強度が通常低いので、ふさわしいロケーションである。また、あなたはインターネットへの割合に高い帯域幅のアクセスを持つロケーションを必要とする。
【００３６】
ある場面では、ダイバーシティゲートウェイをサービスエリア外に置くことができない可能性がある。例えば、もしもサービスエリアが国全体を含むならば、保安事業はゲートウェイがその国の国境の外側に設置されていることを妨げる可能性がある。即ち、衛星のかどのあるカバレッジは、その衛星の地政学上のまたはダイバーシティゲートウェイを収容するために望ましいサービスエリアの外側に十分な余地を含むことができない。どちらかの場面では、図２に図示された本発明の実施形態は１つの解答を提供する。
【００３７】
図２はサービスエリア２１０についてサービスを提供するためにビーム２３０を作り出すが、しかしサービスエリア２１０の外側にダイバーシティサイトを持たない、衛星２２０、ゲートウェイ２５０、およびフィーダリンク２４０，２４１，２４２，２４３を使用している衛星システムについての１つの実施形態を図示する。図１では問題であったような、冗長フィーダリンクへのアクセスを共有するよりはむしろ、１つまたはそれ以上のフィーダリンク２４０(２４１，２４２，２４３および２４４)におけるある量の帯域幅は、ダイバーシティのために用意されている。どの場合も、ここでは雲２９０の存在によって劣化された、劣化リンク２９５の帯域幅は、ダイバーシティのために用意された帯域幅を有する１つまたはそれ以上の他のフィーダリンク２４０の間に分布されるように切り換えられる。
【００３８】
例えば、各フィーダリンク２４０は与えられたビーム２３０をサポートするためにある量の帯域幅を有する。この帯域幅は“チャネル化”される。即ち、そのビーム内のデータトラフィックはチャネルに分割される。１つの実施形態では、図３に示されるように、ビーム帯域幅３１０はビーム当たり６チャネルに分割される。４つのチャネル３２０はデータを運ぶためにアクティブに使用される。２つのチャネル３３０はダイバーシティのために用意される。ダイバーシティチャネル３３０が全時間ベースで取って置かれる、即ち、不使用である必要がないことは注目される。ダイバーシティチャネル３３０は通信トラフィックに関して正常状態の下で使用され得るが、しかしダイバーシティが必要な時には、これらのチャネルはダイバーシティゲートウェイのための置き換え部分として使用され、そして、その結果として、ダイバーシティチャネル３３０はダイバーシティ機能に専用されるか割り当てられるので、このゲートウェイはそれの正規のトラフィック負荷用のより少ないチャネルで動作するように使用される。
【００３９】
本発明はゲートウェイ内の任意の特定数のチャネル、またはダイバーシティ機能に専用されたチャネルに制約されない。本発明の種々の実施形態は異なる総数のチャネルを有して実施されてもよく、そしてアクティブおよびダイバーシティチャネルの間の数を実例において上述されたものよりも異なって分割してもよい。さらに、同じシステム内の他のフィーダリンク２４０、または同じフィーダリンクの他のビームの部分は、ダイバーシティのためのより多いチャネルまたはより少ないチャネルを用意してもよい。ダイバーシティのために用意されたチャネル数は、例えば、特定ビーム内の端末の相対的負荷次第であってもよい。即ち、ダイバーシティのために用意されたより多いチャネルと共に、そのビームは対応するビーム内の端末をサポートするために、より少ないアクティブチャネルを有する。どの場合も、人口希薄な地域はデータ負荷をサポートするためにより少ないアクティブチャネルを要求してもよく、したがって、より多くのチャネルはダイバーシティのために取って置かれることが可能である。反対に、人口稠密な地域を取り扱うビームはそれの使用可能な全チャネルを使用することを要求されてもよい。さらに、高い降雨強度の確率が低いエリア内のゲートウェイによって取り扱われるフィーダリンク内のチャネルは、高い降雨強度の確率が高いエリアにおけるフィーダリンク内のチャネルを制してダイバーシティのために優先的に選択されてもよい。
【００４０】
１つの実施形態では、固定された組のダイバーシティチャネルを用意するよりはむしろ、ダイバーシティチャネルは、例えば、データ負荷が変動し、そして降雨強度が変化するように、動的に割り当てられる。なおもう１つの実施形態では、チャネルダイバーシティと一緒に、サービスエリア外のダイバーシティゲートウェイの組合わせが使用される。
【００４１】
図２に戻って参照して、例えば、各フィーダリンク２４０が３ビームをサポートし、そして各ビームが６チャネルを含むと仮定すれば、その時各フィーダリンク２４０は共に使用すべき１８チャネルを有する。６局のゲートウェイ２５０で、合計１０８チャネルがある。２本の失敗したフィーダリンク２４０についてダイバーシティ資源を提供するために、残りの４本のフィーダリンクは全体のデータ負荷を吸収する必要がある。言い換えれば、静的なチャネル選択を仮定すれば、４フィーダリンク分のチャネルはアクティブでなければならず、そして残りはダイバーシティのために用意される必要がある。６フィーダリンクは各々１８チャネルを、合計として７２アクティブチャネルと３６の予備チャネルとをサポートすることができる。もしも７２チャネルが１８ビームの間に均等に分布されれば、図３に図示されるように、各ビームは４アクティブチャネルと２ダイバーシティチャネルとを有するであろう。
【００４２】
この例では、各フィーダリンクは、劣化リンク２９５を含み、各々４アクティブチャネルの３ビーム、合計として１２アクティブチャネルを有する。劣化リンク２９５がサービス機能停止を経験する時には、それの１２チャネルは使用可能なダイバーシティチャネルに切り換えられる必要がある。各フィーダリンクは、各々２ダイバーシティチャネルの３ビーム、合計として各フィーダリンクについて６ダイバーシティチャネルを有する。どの場合も、リンク２９５からの１２アクティブチャネルは切り換えられ、そして少なくとも２本の他のフィーダリンクに分布されるであろう。もちろん、上述されたように、代替の実施形態はダイバーシティチャネルを不均等に分布してもよく、および／またはフィーダリンクの間に、ダイバーシティチャネルを動的に分布してもよい。
【００４３】
図４は劣化リンクをダイバーシティゲートウェイに切り換えるために図１の衛星１２０内で使用されることができる切換えマトリクスの１つの実施形態を示す。図４の実施形態では、衛星１２０は６個の端末ホーン４１０を含む。端末ホーン４１０は、各々サービスエリア１１０内の端末リンク用の３つのビーム１３０を投射するアンテナである。衛星１２０はまた６個のフィーダホーン４２０を含み、その５個はフィーダリンク１４０に対応し、そしてその１個は劣化リンク１９５に対応する。データパス４４０は端末ホーン４１０とフィーダホーン４２０とを衛星を介して接続する。
【００４４】
衛星１２０はまたダイバーシティリンク１６０に対応するダイバーシティホーン４３０を含む。切換えマトリクスは切換え可能な接続４５０を具備する。劣化リンク１９５がフィーダホーン４２０の１つの中で検出されると、影響されたフィーダホーンはそれのそれぞれのデータパス４４０から切断され、そしてダイバーシティホーン４３０の１つは影響されたフィーダホーンの代わりにデータパスに連結される。
【００４５】
切換え可能な接続４５０を除いて、データパス４４０は衛星内での使用にふさわしい任意のタイプのデータパスを表そうとする。データパス４４０は、例えば、アナログ／ディジタル変換、ディジタル／アナログ変換（多くの実施形態ではベースバンド型の信号上で動作することは必要ないが)ベースバンド信号から／へのミックスアップ／ダウン、種々の形式のデータ処理等を含んでもよい。
【００４６】
図５はアクティブチャネルを劣化チャネルからダイバーシティチャネルに切り換えるために図２の衛星２２０内で使用されることができる切換えマトリクスの１つの実施形態を示す。切換えマトリクスは図４に例示されたものと非常に類似している。しかしながら、フィーダリンクレベルでの切換えの代わりに、図５の実施形態はチャネルレベルで切り換える。マルチプレクサ／デマルチプレクサ（ｍｕｘｅｓ）５１０は端末ホーン５２０とデータパス５４０との間、およびフィーダホーン５３０とデータパス５４０との間に挿入される。ｍｕｘｅｓ５１０は各ビームからのチャネルを入射信号のためのそれらの構成部分に分け、そしてチャネルを出信号のためのビームに結合する。
【００４７】
例示された実施形態では、チャネルはアクティブチャネルかダイバーシティチャネルのいずれかとして静的に割り当てられる。アクティブチャネルのための切換え可能な接続５５０は１チャネルのみに接続可能である。ダイバーシティチャネル５６０のような、ダイバーシティチャネルのための切換え可能な接続は全チャネルに接続可能である。どの場合も、劣化リンク２９５からのアクティブチャネルは、それらの正規のアクティブデータパスから切断され、そしてそのデータパスはダイバーシティチャネル５６０に再接続される。
【００４８】
図１０および１１はそれぞれダイバーシティチャネルに切り換える前後の情報の流れを示す。より詳しくは、図１０はチャネル１８上で受信された情報がそれの割り当てられたアウトバウンド(outbound)フィーダホーン、ビーム、およびチャネルに正常に切り換えられる実例を示す。図１１はチャネル１８上で受信された情報がダイバーシティパスウェイを通して送られる実例を示す。
【００４９】
代替の１実施形態では、フィーダホーン５３０のためのあらゆるチャネル接続はすべてのデータパスに接続可能である。この分野において既知の任意の適当な切換え技術が切換えマトリクスによってチャネルを端末ホーンからフィーダホーンに動的に接続するために使用され得ることは、本開示の恩恵を被り、そしてこの分野の技術者によって認識されるであろう。どの場合も、チャネルはアクティブまたはダイバーシティチャネルのいずれかとして動的に割り当てられることができる。１つの実施形態では、動的な切換えのためのすべてのデータ処理は、ゲートウェイのような地上局で行われ、そして切換えコマンドは地上から衛星に伝送される。
【００５０】
図６はゲートウェイの観点から本発明の１つの実施形態について説明する。一度手順が始まると、６１０で、ゲートウェイは衛星から受信されたビーコン信号の１つまたはそれ以上の特性を測定する。この実例となる実施形態では、信号対雑音比（ＳＮＲ）の劣化はそのような測定値から決定され、ここにおいてビーコン信号におけるＳＮＲの劣化はゲートウェイでのフィーダリンク内の劣化のレベルを表す。代替の実施形態では、ＳＮＲにおける劣化を決定するよりはむしろ、決定は瞬間の受信信号強度または他のパラメータが所定の閾値以下であることで簡単になされてもよいことは認められるであろう。６２０で、ＳＮＲが受入れ可能なレンジ内にあるか、あるいはそのためのレンジが電力または利得を変えることによって補償できる限り、処理は簡単に６１０までループバックする。
【００５１】
しかしながら、もしも６２０で決定されたようなＳＮＲ劣化がサービス機能停止の構成要素となるようであれば、その時ゲートウェイはダイバーシティ資源に切り換えるべく衛星にコマンド６３０を送出する。そのようなダイバーシティ資源は、(１)サービスエリア外に設置されたゲートウェイへのダイバーシティリンク；（２）サービスエリア内のゲートウェイへの１つまたはそれ以上のフィーダリンクを介したダイバーシティチャネル；あるいはこの２つのある組合わせであってもよい。ダイバーシティチャネルを供給しているゲートウェイが必要なチャネル切換えを通知されることも、本開示の恩恵を被り、そしてこの分野の技術者によって認識されるであろう。
【００５２】
なお、図６の実例となる実施形態を参照すれば、６４０および６５０で、ゲートウェイはＳＮＲをモニタし続け、そしてその信号品質が回復したかどうかを決定する。もしも信号品質がフィーダリンクが回復した点まで好転すれば、その時ゲートウェイはスイッチバックするために衛星にコマンドを送出する６６０。その後、この実例となる実施形態では、手順が繰り返し始まる。
【００５３】
１つの実施形態では、手順はＳＮＲ劣化における任意の予期される変化率を補償するために十分に早く循環する。即ち、通信が全く中断される前に切換えコマンドが送られるように、劣化は十分に早く検出される。他の実施形態では、この分野で既知の任意の適当な技術は、切換えコマンドが受信される可能性を改善するために使用されることができる。例えば、切換えコマンドは繰り返しおよび／または非常に低いデータ速度で送られることができ、多分これは干渉内の短時間の谷間または凪の間中、切換えコマンドを得ることを可能にする。
【００５４】
もう１つの実施形態では、切換えコマンドはゲートウェイから衛星に直接送出されない。その代わりとして、切換えコマンドはインターネットのような、ネットワークを介して劣化ゲートウェイから１つまたはそれ以上のダイバーシティゲートウェイ、またはダイバーシティチャネルを提供しているゲートウェイに送出され、そしてそこから衛星に送られる。
【００５５】
図７は衛星の観点から本発明の１つの実施形態について説明する。一度手順が始まると、７１０で、衛星は切換えコマンドを待つ。切換えコマンドが受信される時はいつでも、衛星は７２０で命令されるようにダイバーシティ資源へまたはからデータをリルートする。
【００５６】
もう１つの実施形態では、衛星はより多くの処理を実行する。即ち、衛星は信号品質を測定し、それ自身で何時ダイバーシティ資源に切り換えるかを決定し、そしてこれらのダイバーシティ資源にコマンドを送出し、この切換えをそれらに通知することができる。しかしながら、地上でできるだけ多くの処理を行うことは、通常、より確実であるばかりでなく、より高価ではない。衛星内での処理はまた、信号強度を増加させることで、より多く費やされる可能性がある貴重な衛星電力を消費する。
【００５７】
本発明の種々の実施形態は上述の機能性を実行するために計算資源を使用する。図８はパソコン、ワークステーション、および／または嵌め込まれたシステムのような広いカテゴリーのコンピュータシステムを示そうとするハードウェアシステムの１つの実施形態を図示する。実例となる実施形態では、ハードウェアシステムは高速バス８０５に連結されたプロセッサ８１０を含み、高速バスはバスブリッジ８３０を介して入出力（Ｉ／Ｏ）バス８１５に連結される。一時メモリ８２０はバス８０５に結合される。固定メモリ８４０はバス８１５に結合される。Ｉ／Ｏ装置８５０は表示装置、キーボード、１つまたはそれ以上の外部ネットワーク・インターフェイス等を含んでもよい。
【００５８】
ある実施形態は付加コンポーネントを含んでもよく、すべての上記コンポーネントを必要としなくてもよく、あるいは１つまたはそれ以上のコンポーネントを結合してもよい。例えば、一時メモリ８２０はプロセッサ８１０とオンチップであってもよい。あるいは、固定メモリ８４０は削除されてもよく、そして一時メモリ８２０は電気的に消去可能なプログラマブル読出し専用メモリ（ＥＥＰＲＯＭ）に置き換えられてもよく、ここにおいてソフトウェア・ルーチンはＥＥＰＲＯＭと同じ場所で実行される。ある実施の形態はそれに全コンポーネントが結合される単一のバス、あるいはそれに種々の付加コンポーネントが結合され得る１つまたはそれ以上の付加バスおよびバスブリッジを使用してもよい。この分野の技術者は、例えば、メモリコントローラ・ハブおよびＩ／Ｏコントローラ・ハブを有する高速バスに基づいた内部ネットワークを含む種々様々な代替の内部ネットワークに精通しているであろう。付加コンポーネントは付加プロセッサ、ＣＤ  ＲＯＭドライブ、付加メモリ、およびこの分野で既知の他の周辺コンポーネントを含んでもよい。
【００５９】
１つの実施形態では、上述されたように、本発明は図８のハードウェアシステムのような１つまたはそれ以上のハードウェアシステムを使用して実施される。１台以上のコンピュータが使用される所では、システムは、ローカルエリア・ネットワーク（ＬＡＮ）、インターネット・プロトコル（ＩＰ）・ネットワーク等のような、外部ネットワーク上で通信するために結合されることができる。１つの実施形態では、本発明はコンピュータの内部の１つまたはそれ以上の実行ユニットによって実行されるソフトウェア・ルーチンとして実施される。与えられたコンピュータに関して、ソフトウェア・ルーチンは固定メモリ８４０のような、記憶装置上に蓄積されることができる。
【００６０】
あるいは、図９に示されるように、ソフトウェア・ルーチンは、ディスケット(diskette)、ＣＤ−ＲＯＭ、磁気テープ、ディジタルビデオ多用途ディスク（ＤＶＤ）、レーザディスク、ＲＯＭ、フラッシュメモリ等のような、任意の機械可読記憶媒体９２０を使用して記憶された機械実行命令９１０であることができる。連続命令は局部的に記憶される必要はなく、そしてネットワーク上のサーバ、ＣＤ  ＲＯＭ装置、フロッピーディスク等のような遠隔記憶装置から、例えば、図８のＩ／Ｏ装置８５０を通して受信されることができる。
【００６１】
どんなソースからでも、命令は記憶装置から一時メモリ８２０にコピーされることができ、そしてその後アクセスされてプロセッサ８１０によって実行される。１つの実施の形態では、これらのソフトウェア・ルーチンはＣプログラミング言語で書かれる。しかしながら、これらのルーチンは任意の種々様々なプログラミング言語で実施されてもよいことは認められるべきである。
【００６２】
代替の実施形態では、本発明はディスクリートなハードウェアまたはファームウェアで実施される。例えば、１つまたはそれ以上の特定用途向けＩＣ（ＡＳＩＣ）は本発明の１つまたはそれ以上の上述された機能と共にプログラムされることができる。もう１つの例では、本発明の１つまたはそれ以上の機能は付加回路ボード上の１つまたはそれ以上のＡＳＩＣで実施されることができ、そしてこの回路ボードは上述されたコンピュータ内に挿入されることができる。もう１つの例では、フィールドプログラマブル・ゲートアレー（ＦＰＧＡ）または静的プログラマブル・ゲートアレー（ＳＰＧＡ）が本発明の１つまたはそれ以上の機能を実施するために使用されることができる。なおもう１つの例では、ハードウェアとソフトウェアとの結合が本発明の１つまたはそれ以上の機能を実施するために使用されることができる。
【００６３】
このように、マルチビーム衛星システムにおいてサービス機能停止を減少することが記載されている。しかるに本発明の多くの変更および修正は前述の記載を読んだ後はこの分野の技術者によって理解されるであろうし、引例によって示されそして記述された特定の実施形態が決して限定を考慮されることを意図しないことは理解されるべきである。したがって、特定の実施形態の詳細の参照は、追加されたクレームの範囲を限定しようとはしない。
【図面の簡単な説明】
【００６４】
【図１】衛星システムにおける本発明の１つの実施形態を示す図である。
【図２】衛星システムにおける本発明のもう１つの実施形態を示す図である。
【図３】１ビーム内に複数チャネルを含む１つの実施形態を示す図である。
【図４】本発明向きの切換えマトリクスの１つの実施形態を示す図である。
【図５】本発明向きの切換えマトリクスのもう１つの実施形態を示す図である。
【図６】ゲートウェイの観点からの１つの実施形態のフローチャートである。
【図７】衛星の観点からの１つの実施形態のフローチャートである。
【図８】本発明の種々の実施形態を実施するためにハードウェアシステムの１つの実施形態を示す図である。
【図９】種々の実施形態を実施するために実行可能な命令を記憶するための機械可読記憶媒体の１つの実施形態を示す図である。
【図１０】端末ホーンとフィーダホーンとの間で選択された正規のデータパスと共に図５の切換えマトリクスを示す図である。
【図１１】端末ホーンとフィーダホーンとの間で選択されたダイバーシティパスウェイと共に図５の切換えマトリクスを示す図である。
【符号の説明】
【００６５】
１１０，２１０…サービスエリア、１２０，２２０…衛星、１３０，２３０…ビーム、１４０，２４０…フィーダリンク、１５０，２５０…ゲートウェイ、１６０…ダイバーシティリンク、１７０…ダイバーシティゲートウェイ、１８０…ダイバーシティビーム、１９０，２９０…雲、１９５，２９５…劣化リンク、３１０…ビーム帯域幅、３２０…アクティブチャネル、３３０…ダイバーシティチャネル、４１０…端末ホーン、４２０…フィーダホーン、４３０…ダイバーシティホーン、４４０…衛星データパス、４５０…切換え可能な接続、５１０…マルチプレクサ／デマルチプレクサ、５４０…衛星チャネルパス、５５０…切換え可能な接続、５６０…ダイバーシティチャネル、８０５…高速バス、８１０…プロセッサ、８２０…一時メモリ、８３０…バスブリッジ、８４０…固定メモリ、８５０…Ｉ／Ｏ装置
【図１】
2005531225.tif 000003
【図２】
2005531225.tif 000004
【図３】
2005531225.tif 000005
【図４】
2005531225.tif 000006
【図５】
2005531225.tif 000007
【図６】
2005531225.tif 000008
【図７】
2005531225.tif 000009
【図８】
2005531225.tif 000010
【図９】
2005531225.tif 000011
【図１０】
2005531225.tif 000012
【図１１】
2005531225.tif 000013
【国際調査報告】
2005531225.tif 000014
2005531225.tif 000015
2005531225.tif 000016
2005531225.tif 000017
2005531225.tif 000018